(57)【要約】      （修正有）【課題】保温性能がよく、利用するとき、人体の熱量を発散しにくくし、柔らかくて利用心地がよく、重量も軽く、中の充填物が変位、変形または重なる問題がなく、長く利用されるとき、携帯および収納がしやすくなる複合保温生地を提供する。【解決手段】複合保温生地は、表面層１、裏層３および断熱粒子４を備える。表面層１は、第１ラチスが設けられる。裏層３は、第１ラチスが対応する位置に設けられ第１ラチスの各点とそれぞれ対応し接続され固定される第２ラチスを有し、表面層１の縁と対応し接続され固定される。断熱粒子４は、表面層１と裏層３との間で区画形成されている空間である中間層２に充填されている。複合保温生地の保温性能が良好で、利用する時は人体から熱量を発散しない、柔らかくて気持ちよい、重量も軽く、内部の充填物は変位、変形若しくは重なることがなく、携帯と収納に便利である。【選択図】図２
0003206244.tif 000002
【実用新案登録請求の範囲】
【請求項１】
第１のラチスが設けられる表面層（１）と、
前記第１のラチスが対応する位置に設けられ前記第１のラチスの各点とそれぞれ対応し接続され固定される第２のラチスを有し、前記表面層の縁と対応し接続され固定される裏層（３）と、
前記表面層と前記裏層との間で区画形成されている空間である中間層（２）に充填されている断熱粒子（４）と、
を備える複合保温生地。
【請求項２】
前記第１のラチスおよび前記第２のラチスは配置が同じで規則的に配置されており、
前記第１のラチスおよび前記第２のラチスの各点が行ごとに均一に配列され、各行にある各点がラチスになっており、複数のラチスの間が等距離に設けられ、各ラチスの各点が等距離で配列され、隣接するラチスの各点が交差して分布する請求項１に記載の複合保温生地。
【請求項３】
前記第１のラチスの各点および前記第１のラチスの各点と直接隣接する点の距離が同じである請求項２に記載の複合保温生地。
【請求項４】
前記第１のラチスの各点および前記第１のラチスの各点と直接隣接する点の距離は、２ｃｍ以上４ｃｍ以下であり、
前記中間層の厚みは、０．５ｃｍ以上２ｃｍ以下である請求項３に記載の複合保温生地。
【請求項５】
前記第１のラチスの各点および前記第１のラチスの各点と直接隣接する点の距離は、３ｃｍであり、
前記中間層の厚みは、１ｃｍである請求項３に記載の複合保温生地。
【請求項６】
前記断熱粒子は、発泡ポリスチレン生地で形成されており、前記断熱粒子の直径が０．５ｍｍ以上５ｍｍ以下で形成されている請求項１に記載の複合保温生地。
【請求項７】
前記表面層および前記裏層は、縁が繋がる場所に縁取りされている請求項１に記載の複合保温生地。
【請求項８】
前記表面層および前記裏層は、長繊維ポリエステル生地で形成されている請求項１に記載の複合保温生地。
【請求項９】
前記第１のラチスの各点がそれぞれ対応し接続され固定される第３のラチスを有し、前記表面層の外側を覆う機能層（５）をさらに備える請求項１に記載の複合保温生地。
【請求項１０】
前記機能層は、レース生地層もしくは亜麻プリント層に形成されている請求項９に記載の複合保温生地。
【考案の詳細な説明】
【技術分野】
【０００１】
本考案は、家庭紡績製品分野に属し、一つの複合保温生地に関する。
【背景技術】
【０００２】
冬季は気温が低く寒いため、室内または室外で人々が座るまたは横になるとき、よく、身体と接触面の間に座布団、クッションおよびマットレス等の断熱物を入れて、身体と接触面との直接熱量の交換を減少し、身体の温度を保つ。一重生地の断熱物は保温効果が悪く、普通には、二重生地の間に充填物を入れて、座布団、クッションおよびマットレス等の物を入れて断熱効果を強化している。
【考案の概要】
【考案が解決しようとする課題】
【０００３】
よく利用される断熱物は綿、ポリエステル若しくはスポンジ等の生地があるが、これらの生地は保温効果の限度があるため、普通には、ある程度まで重なってからでないと十分な保温効果および柔軟度が果たされない。また、充填物が過剰に入れられると品物が重くなり、携帯および収納がしにくくなる。さらに、断熱充填物は二重の生地の間で移動して、断熱充填物が重なる問題が起こりやすいため、断熱充填物が均一に分布されなくなり、使い心地と便利性がさらに下げる。
【０００４】
本考案は、以上の従来技術の課題を解決するためのものである。本考案は、保温性能がよく、利用するとき、人体の熱量を発散しにくくし、柔らかくて利用心地がよく、重量も軽く、内部の充填物が変位、変形または重なる問題がなく、長く利用されるとき、携帯および収納がしやすくなる複合保温生地を提供する。
【課題を解決するための手段】
【０００５】
本考案の複合保温生地は、表面層（１）、裏層（３）および断熱粒子（４）を備える。
表面層は、第１のラチスが設けられる。
裏層は、第１のラチスが対応する位置に設けられ第１のラチスの各点とそれぞれ対応し接続され固定される第２のラチスを有し、表面層の縁と対応し接続され固定される。
断熱粒子は、前記表面層と前記裏層との間で区画形成されている空間である中間層（２）に充填されている。
【０００６】
また、第１のラチスおよび第２のラチスは配置が同じで規則的に配置されており、
第１のラチスおよび第２のラチスの各点が行ごとに均一に配列され、各行にある各点がラチスになっており、複数のラチスの間が等距離に設けられ、各ラチスの各点が等距離で配列され、隣接するラチスの各点が交差して分布する。
【０００７】
第１のラチスの各点および第１のラチスの各点と直接隣接する点の距離が同じである。
第１のラチスの各点および第２のラチスの各点が直接隣接する点の距離は、２ｃｍ以上４ｃｍ以下であり、中間層の厚みは、０．５ｃｍ以上２ｃｍ以下である
【０００８】
第１のラチスの各点および第１のラチスの各点と直接隣接する点の距離は、３ｃｍであり、中間層の厚みは、１ｃｍである。
断熱粒子は、発泡ポリスチレン生地で形成されており、断熱粒子の直径が０．５以上５ｍｍ以下で形成されている。
表面層および裏層は、縁が繋がる場所に縁取りされている。
表面層および裏層は、長繊維ポリエステル生地で形成されている。
【０００９】
第１のラチスの各点がそれぞれ対応し接続され固定される第３のラチスを有し、前記表面層の外側を覆う機能層（５）をさらに備える。
機能層は、レース生地層もしくは亜麻プリント層に形成されている。
【００１０】
複合保温生地は、表面層、中間層、裏層および断熱粒子を備える。表面層と裏層の間は第１のラチスと第２のラチスと固定して接続し、表面層と裏層に挟まる空間に断熱粒子が設置されている。相互的に固定する第１のラチスと第２のラチスを対応し、断熱粒子の運動を効果よく制限される。そして、使用するときに断熱粒子は静電の関係で隣にある断熱粒子と繋がる。断熱粒子は均一の状態を保ちながら複合保温生地に分布し、断熱粒子が重なる心配がなく、断熱粒子の熱伝導率が低いため、人体から熱量の発散を効果的に予防できる。同時に、断熱粒子の間には隙間があるため、複合保温生地は良好的な換気性を保証され、利用する時は息苦しい感覚が起こらない。
【００１１】
また、複合保温生地は、機能層をさらに備える。機能層は表面層の外側の面に設置されている。レース生地若しくは亜麻プリント層が利用できる。機能層は良好的な換気性があり、生地も美しく見える。
複合保温生地は、柔らかくて薄く、マットレス、座布団若しくは他の家庭用品物に使うことが適合するし、枕、クッション、抱き枕の表面生地として使うのも適合する。また、複合保温生地は、他の生地と合わせて、多層的なカーペット若しくは他の産品にも製作され、実用性が強く、保温断熱効果がよく、幅広く利用される。
【図面の簡単な説明】
【００１２】
【図１】本考案の第１実施形態の複合保温生地の構成図。
【図２】本考案の第１実施形態の複合保温生地の断面構成図
【図３】本考案の第１実施形態の複合保温生地の第１のラチスおよび第２のラチスの各点の配列方法の説明図。
【図４】本考案の第２実施形態の複合保温生地の断面構成図
【考案を実施するための形態】
【００１３】
本考案の目的、技術案と利点をもっと明らかに開示するよう、本考案の付図に基づき、
第１および第２実施形態を以下の通り説明するが、本考案を限定するものではない。
（第１実施形態）
図１および図２に示すように、複合保温生地は、図の紙面の上から下までに、表面層１、中間層２および裏層３が形成されている。
【００１４】
表面層１および裏層３は、相対的に設置し、表面層１に第１のラチスが設置され、裏層３と第１のラチスと対応する位置に第２のラチスが設置され、第１のラチスと第２のラチスにある各点はそれぞれ接続して固定する。表面層１と裏層３の縁の部分は対応して接続して固定する。表面層１と裏層３に挟まり、表面層と裏層との間で区画形成されている空間は中間層２が形成され、中間層２に断熱粒子４が充填されている。
【００１５】
最良化するため、表面層１と裏層３は同じ生地の長繊維ポリエステルからなっている。断熱粒子４は発泡ポリスチレンからなっていて、発泡ポリスチレン生地は熱伝導率が低く、良好的な断熱性能があり、密度が小さく、化学性質も安定で、有害な気体が生成されなく、健康で環境に優しい。断熱粒子４の直径は０．５ｍｍ以上５ｍｍ以下であり、そのうち、直径０．５ｍｍ以上２ｍｍ以下の断熱粒子４は全体粒子の７０％から８０％までの範囲を占めている。
【００１６】
表面層１と裏層３の縁の部分は直接縫合する方法で接続し固定する、若しくは縁取りする。実際の需要により縁取りするかを決める。例えば、複合保温生地を使って枕を製作する表面生地とする場合、生地の縁のところに直接縫合すると、生地全体の厚みの均一性を高める。複合保温生地を使ってマットレスを製作する場合、複合保温生地の縁の部分は縁取りにしたほうがいい。縁取りは綿、ポリエステル、亜麻またはその他生地を使って製作する。縁取りは、製作したマットレスをいっそう美しくし、複合保温生地の縁を守り、マットレス等製作した品物の寿命を延長させる。
【００１７】
図３に示すように、第１のラチスと第２のラチスの配列方法は、同じで規則的に配列されている。具体的な配列方法は、各点が行ごとに配列し、各行にある点はラチスとなり、複数のラチスは平行的で等間距離を設置し、ラチスにある各点は等間距離で配列する。ラチスと垂直する方向を軸とし、隣接する行のラチスの各点は交差して分布する。
【００１８】
最良化するため、第１のラチスにある各点と直接隣接する各点間の距離は２ｃｍ以上４ｃｍ以下であり、中間層２の厚みは０．５ｃｍ以上２ｃｍ以下である。言い換えれば、第１のラチスにある各点は、それと隣接し異なるラチスにある点が仮想線で繋がると、複数の完全な接合ひし形が形成される。ひし形の一側の長さは２ｃｍ以上４ｃｍ以下であり、ひし形の中心位置の厚みは０．５ｃｍ以上２ｃｍ以下である。
さらに最良化すると、第１のラチスにある各点と直接隣接する各点との距離は３ｃｍであり、中間層２の厚みは１ｃｍであり、複合保温生地の保温効果、使用心地と生地の耐用性が最良に達する。
【００１９】
第１のラチスと第２のラチスにある各点はそれぞれ接続して固定する。断熱粒子４の運動が効果的に制限され、使用するときに、ひし形が覆われた断熱粒子は静電の関係で互いに吸着しやすくなる。断熱粒子４は覆われひし形の範囲で粒子のかたまりを形成し、断熱粒子４が滑落、重なるなど均一的に分布されない問題を起こらない、使用する時は複合保温生地を直立的におく時も生地が変形する心配がない。
【００２０】
（第２実施形態）
図４に示すように、第２実施形態の複合保温生地は、第１実施形態の複合保温生地に加え、機能層５をさらに備える。
機能層５は表面層１の外側を覆っている。機能層５に第３のラチスが設置され、第３のラチスにある各点と第１のラチスにある各点はそれぞれ対応し接続して固定される。
最良化すると、機能層５はレース生地若しくは亜麻プリント層で形成される。機能層は、良好的な換気性があり、複合保温生地の外観はいっそう美しく見える。
【００２１】
本考案は上記最良な実施形態に限らない。本考案から啓発を得て様々な産品が誰でも製作される。但し、形状若しくは構造にどんな変化があっても、本考案と同様若しくは類似した形態は、全部本考案の保護範囲となる。
【符号の説明】
【００２２】
１  ・・・表面層、
２  ・・・中間層、
３  ・・・裏層、
４  ・・・断熱粒子、
５  ・・・機能層。
【図１】
0003206244.tif 000003
【図２】
0003206244.tif 000004
【図３】
0003206244.tif 000005
【図４】
0003206244.tif 000006